(57)【要約】【課題】  パッティング時の衝撃を緩和して、心地よいパッティングを実現することのできる美容器具を提供することを目的としている。【解決手段】  基台２１と、該基台２１上に設けられ、不織布が載置される緩衝部材２２と、を有することを特徴とする。【選択図】    図１
2005160524.tif 000002
【特許請求の範囲】
【請求項１】
基台と、該基台上に設けられ、不織布が載置される緩衝部材と、を有することを特徴とする美容器具。
【請求項２】
前記緩衝部材が設けられた側と反対側の基台上には、前記不織布の端部を固定する固定手段が設けられていることを特徴とする請求項１に記載の美容器具。
【請求項３】
前記固定手段は、挟持部材と、該挟持部材および前記基台をヒンジ結合するヒンジ部と、該ヒンジ部材と反対側に設けられた掛止部とを有することを特徴とする請求項２に記載の美容器具。
【請求項４】
前記基台の前記掛止部近傍から、前記ヒンジ部とは反対方向に軸部が延設されていることを特徴とする請求項３に記載の美容器具。
【請求項５】
前記軸部の先端に、該軸部よりも幅広とされた把持部が設けられていることを特徴とする請求項４に記載の美容器具。
【請求項６】
前記挟持部材の前記基台と対向する面に、すべり止め部材が設けられていることを特徴とする請求項３に記載の美容器具。
【請求項７】
前記基台、前記挟持部材、前記ヒンジ部、前記掛止部、前記軸部、前記把持部、および前記すべり止め部材は、樹脂で一体成型されていることを特徴とする請求項１から６のいずれか一項に記載の美容器具。
【請求項８】
前記緩衝部材は、軟質ウレタン樹脂をウレタンフィルムでパックしたものであることを特徴とする請求項１から７のいずれか一項に記載の美容器具。
【発明の詳細な説明】
【技術分野】
【０００１】
本発明は美容器具、特に化粧水などをしみこませた、たとえばコットンパフなどの不織布で身体各部をパッティングするときに用いられる美容器具に関するものである。
【背景技術】
【０００２】
従来、身体をパッティングするときに用いられる美容器具としては、台盤と綿体押圧部材との間に綿体（あるいはパット）を取り付け、台盤に形成された細長状の柄部を持ってパッティングを行うようにしたものがある（たとえば、特許文献１参照）。
【特許文献１】実開昭５８−１９０９１６号公報（第１図ないし第４図）
【発明の開示】
【発明が解決しようとする課題】
【０００３】
しかしながら、上述した特許文献１の美容器具では、台盤と綿体押圧部材との間に綿体（あるいはパット）が挟み込まれて固定されるようになっており、パッティングする際に台盤あるいは綿体押圧部材が直接肌に叩き付けられるため、不快感（や軽い痛み）があるといった問題点があった。
【０００４】
本発明は、上記の事情に鑑みてなされたもので、パッティング時の衝撃を緩和して、心地よいパッティングを実現することのできる美容器具を提供することを目的としている。
【課題を解決するための手段】
【０００５】
本発明の美容器具では、上記課題を解決するため、以下の手段を採用した。
すなわち、請求項１記載の美容器具によれば、基台と、該基台上に設けられ、不織布が載置される緩衝部材と、を有することを特徴とする。
【０００６】
この美容器具においては、基台の上に緩衝部材が設けられており、この緩衝部材の上に不織布が載置されることとなる。
すなわち、パッティング時において基台が肌に叩き付けられるおそれが無く、かつパッティング時の衝撃が緩衝部材により緩和（あるいは吸収）される。
【０００７】
請求項２記載の美容器具によれば、前記緩衝部材が設けられた側と反対側の基台上には、前記不織布の端部を固定する固定手段が設けられていることを特徴とする。
【０００８】
この美容器具においては、不織布の端部が、緩衝部材が設けられた側と反対側の基台上に設けられた固定手段により固定される。
すなわち、パッティング時に肌に当たる側とは反対の側に設けられた固定手段により、不織布が固定される。
【０００９】
請求項３記載の美容器具によれば、前記固定手段は、挟持部材と、該挟持部材および前記基台をヒンジ結合するヒンジ部と、該ヒンジ部材と反対側に設けられた掛止部とを有することを特徴とする。
【００１０】
この美容器具においては、挟持部材の一端部がヒンジ結合により基台に連結されているとともに、挟持部材の他端部が掛止部に掛止され、挟持部材が基台に対して固定される。
【００１１】
請求項４記載の美容器具によれば、前記基台の前記掛止部近傍から、前記ヒンジ部とは反対方向に軸部が延設されていることを特徴とする。
【００１２】
この美容器具においては、基台から軸部が延びており、使用者はこの軸部を持ってパッティングを行うことができるようになっている。
【００１３】
請求項５記載の美容器具によれば、前記軸部の先端に、該軸部よりも幅広とされた把持部が設けられていることを特徴とする。
【００１４】
この美容器具においては、軸部の先端に把持部が形成されており、使用者はこの把持部を持ってパッティングを行うことができるようになっている。
【００１５】
請求項６記載の美容器具によれば、前記挟持部材の前記基台と対向する面に、すべり止め部材が設けられていることを特徴とする。
【００１６】
この美容器具においては、挟持部材に設けられたすべり止め部材と基台との間に不織布の端部が挟まれる。
すなわち、すべり止め部材が設けられていない挟持部材と基台とで形成される間隙よりも狭い部分に、不織布の端部が挟み込まれることとなる。
【００１７】
請求項７記載の美容器具によれば、前記基台、前記挟持部材、前記ヒンジ部、前記掛止部、前記軸部、前記把持部、および前記すべり止め部材は、樹脂で一体成型されていることを特徴とする。
【００１８】
この美容器具においては、基台、挟持部材、ヒンジ部、掛止部、軸部、把持部、およびすべり止め手段が、樹脂により一体に成形されている。
【００１９】
請求項８記載の美容器具によれば、前記緩衝部材は、軟質ウレタン樹脂をウレタンフィルムでパックしたものであることを特徴とする。
【００２０】
この美容器具においては、緩衝部材が軟質ウレタン樹脂をウレタンフィルムで包み込んだものとされている。
【発明の効果】
【００２１】
本発明の美容器具によれば、以下の効果を奏する。
請求項１に記載の美容器具によれば、パッティング時において基台が肌に叩き付けられるおそれが無く、かつパッティング時の衝撃が緩衝部材により緩和（あるいは吸収）されるので、痛みのない心地よいパッティング（すなわち快適なパッティング）を行うことができ、優れたパッティング効果を得ることができる。
【００２２】
請求項２に記載の美容器具によれば、パッティング時に肌に当たる側とは反対の側に設けられた固定手段により、不織布が固定されるので、基台などの固い部分が肌に叩き付けられることが無く、快適なパッティングを行うことができるとともに、不織布の端部を手指で基台に押しつけて固定しておく必要がなく、パッティング時における作業の煩雑性を排除することができ、作業効率を向上させることができる。
【００２３】
請求項３に記載の美容器具によれば、固定部材が挟持部材、ヒンジ部、および掛止部といった簡単な部材で構成されているので、製造コストを低減させることができる。
【００２４】
請求項４に記載の美容器具によれば、基台から軸部が延びており、使用者はこの軸部を持って容易にパッティングを行うことができる。
【００２５】
請求項５に記載の美容器具によれば、軸部の先端に把持しやすい把持部が形成されており、使用者はこの把持部を持って楽にパッティングを行うことができる。
【００２６】
請求項６に記載の美容器具によれば、挟持部材と基台との間にすべり止め部材が設けられているので、不織布の端部をより確実に固定することができる。
【００２７】
請求項７に記載の美容器具によれば、基台、挟持部材、ヒンジ部、掛止部、軸部、把持部、およびすべり止め手段が、樹脂により一体に成形されているので、大量生産を行うことができるとともに、製造コストを低減させることができる。
【００２８】
請求項８に記載の美容器具によれば、軟質ウレタン樹脂の表面がウレタンフィルムで覆われているので、ウレタンフィルムの表面に付いた、たとえば化粧水や汚れを簡単に洗い流すことができ、ウレタンフィルムの表面を常に清潔な状態に保つことができる。
【発明を実施するための最良の形態】
【００２９】
以下、本発明によるコットンパフスティック（美容器具）の一実施の形態について、図面を参照しながら説明する。
図１は本発明によるコットンパフスティックの一実施の形態を示す全体斜視図であり、図２（ａ）は図１の側面図（すなわち図１において右方から見た図）、図２（ｂ）は図１の平面図（すなわち図１において上方から見た図）、である。
【００３０】
本発明によるコットンパフスティック１０は、図１および図２に示すように、大きく分けて本体部２０と柄部３０とから構成されたものである。
本体部２０は、基台２１と、緩衝部材２２と、固定手段２３とを主たる要素として構成されたものである。
【００３１】
基台２１は、図１および図２（ｂ）に示すように、平面視ロ字状を有するフレーム（枠）部材である。
緩衝部材２２は、軟質ウレタン樹脂をウレタンフィルムで包容（あるいは包装）したものであり、平面視略長方形を有するとともにある程度の厚みを有するものである。
軟質ウレタン樹脂の硬さ（硬度）は、この樹脂中に添加される硬化剤の量を調節することにより変化させることができる。すなわち、硬化剤の量が多ければ軟質ウレタン樹脂の硬さは硬くなり（上がり）、硬化剤の量が少なければ軟質ウレタン樹脂の硬さは軟らかくなる（下がる）。
一方、緩衝部材２２の厚みは、軟質ウレタン樹脂の硬さや緩衝部材２２の重さをいくらにするかなどによって適宜選択されるものであるが、本実施形態では約７mmとしている。
また、緩衝部材２２は、その平面視形状において前述した基台２１の外側の輪郭よりも一回り（若干）大きな輪郭、すなわち縦方向（長手方向）に約６０mm、横方向（長手方向と直交する方向）に約２５mmとされた略長方形を有するものである。
さらに、緩衝部材２２にはフィルム状の取付部２２ａが設けられており、緩衝部材２２と取付部２２ａとの間に基台２１を挟み込む（あるいは緩衝部材２２と取付部２２ａとの間で基台２１を挟持する）ことにより、緩衝部材２２が基台２１に対して着脱自在に取り付けられることとなる。この着脱方法については後述することにする。
【００３２】
固定手段２３は、挟持部材２５と、ヒンジ部２６と、掛止部２７とを主たる要素として構成されたものである。
挟持部材２５は、その平面視形状において前述した基台２１の外側の輪郭よりも一回り（若干）小さな輪郭を有するフレーム（枠）部材である。また、基台２１に対して固定されたときに基台２１と対向する面には、すべり止め部材２５ａが設けられている。
すべり止め部材２５ａは、挟持部材２５の２つの長辺部分にそれぞれ設けられているとともに、複数個（本実施形態では一辺当たり９個ずつ）の歯からなるものである。図２（ａ）に示すように、これらすべり止め部材２５ａの各歯の断面（すなわち、長手方向に沿う垂直面で切った断面）は、山形（三角形）になるように形成されている。各歯は挟持部材２５の内周縁２５ｂから外周縁２５ｃにわたって形成されている。
【００３３】
ヒンジ部２６は、挟持部材２５と基台２１とをヒンジ結合するためのものである。図中において符号２６ａは折曲部（図では線で示している）であり、この折曲部２６ａから左側の部分が図中の白抜き矢印の方向に折り返されて、基台２１の上に重ね合わされるようになる。
【００３４】
掛止部２７は、ヒンジ部２６の折曲部２６ａを境に折り曲げられてきた挟持部材２５の一端部２５ｄを基台２１に対して掛止するためのものである。掛止部２７の頂部から中央部にかけて、次第に板厚が基台２１の内周縁２１ａ側に向かって厚くなる傾斜面２７ａが形成されているとともに、傾斜面２７ａの終端位置、すなわち掛止部２７の中央部に切欠部２７ｂが形成されている。
一方、挟持部材２５の一端部２５ｄ側面には、掛止部２７の幅と略同じ幅を有する傾斜部２５ｅが設けられている。この傾斜部２５ｅは、ヒンジ部２６の折曲部２６ａを境に挟持部材２５が折り曲げられていったときに、掛止部２７の傾斜面２７ａと面で接するように切り欠かれた部分である。
したがって、ヒンジ部２６の折曲部２６ａを境に折り曲げられていったとき、まずはじめに傾斜部２５ｅの傾斜した面の略全面が掛止部２７の傾斜面２７ａの一部分と当接する。この状態から挟持部材２５の一端部２５ｄを基台２１の方にさらに押し込んでいくと、傾斜部２５ｅが掛止部２７の傾斜面２７ａ上を滑って移動していくとともに、掛止部２７が柄部３０の方に若干逃げていき（後退していき）、最終的に挟持部材２５の一端部２５ｄに位置する一表面（図１において下側の面）が切欠部２７ｂに掛止される。
【００３５】
柄部３０は、軸部３１と、把持部３２とを主たる要素として構成されたものである。
軸部３１は、掛止部２７の近傍に位置する基台２１から長手方向外側、すなわちヒンジ部２６と反対側に延在する細長い棒状の部材である。また、軸部３１の先端、すなわち基台２１と反対側の端部には、親指大の把持部３２が設けられている。把持部３２は軸部３１の側から次第に幅広となるように形成されたものであり、平面視略涙形を有する部分である。
また、これら軸部３１および把持部３２は、その断面（すなわち長手方向と直交する平面で切った断面）が略楕円形を有するように形成されている。
【００３６】
緩衝部材２２以外の部材、すなわち基台２１、固定手段２３、軸部３１、および把持部３２は、射出成型により一体成形されたものである。本実施形態では、ヒンジ部２６が一体成形されるため、樹脂としてポリプロピレン（ＰＰ）を使用した。
また、図２（ｂ）に示す基台２１の全長（すなわち、折曲部２６ａから軸部３１の始点までの距離）Ｌ１は約６０mm、挟持部材２５を掛止部２７に掛止させた後のコットンパフスティック１０の全長（すなわち、折曲部２６ａから軸部３１の終点（把持部３２の終端）までの距離）Ｌ２は約１９０mmとしている。
【００３７】
つぎに、今まで説明してきたコットンパフスティック１０へのコットンパフ（不織布）Ｃの装着（取り付け）手順、およびコットンパフスティック１０に装着していたコットンパフＣの取り外し手順を図３に基づいて説明する。なお、ここで使用するコットンパフＣは、平面視略矩形を有するものである。
まずはじめに、コットンパフスティック１０を図３（ａ）の状態、すなわち挟持部材２５の掛止部２７による掛止が解かれ、挟持部材２５が完全に開放された（開かれた）状態にする。
【００３８】
そして、図３（ｂ）に示すように、コットンパフＣをコットンパフスティック１０に巻き付ける。すなわち、基台２１に接していない側の緩衝部材２２の表面および両側面（長手方向と平行になる二側面）を覆う（包み込む）とともに、コットンパフＣの対向する二辺に位置する両端部Ｃａ，Ｃｂが基台２１上に位置するようにコットンパフＣを巻き付ける。
【００３９】
図３（ｂ）に示すように巻き付けたら、図１に示したヒンジ部２６の折曲部２６ａを中心として、図１中に示した白抜き矢印の方向に挟持部材２５を回動させ、基台２１とすべり止め部材２５ａとの間にコットンパフＣの両端部Ｃａ，Ｃｂを挟み込んだ状態で、挟持部材２５を掛止部２７に引っ掛ける。すなわち、ヒンジ部２６と掛止部２７とにより、基台２１に対して挟持部材２５が固定された状態となるとともに、挟持部材２５と基台２１との間にコットンパフＣの両端部Ｃａ，Ｃｂが挟み込まれることにより、コットンパフＣがコットンパフスティック１０に対して固定され、装着が完了する。図３（ｃ）は、コットンパフＣをコットンパフスティック１０に装着し終えた状態を示す全体斜視図である。
使用者は図３（ｃ）に示した状態で、コットンパフＣにたとえば化粧水をしみこませ、把持部３２を持って身体の各部のパッティングを行う。
【００４０】
このようなコットンパフスティック１０を用いることにより、使用者が軸部３１あるいは把持部３２を持ってコットンパフＣに化粧水などを供給（あるいは補給）することができるので、化粧水などが手指に付くおそれがなく、手指を常にドライな状態に保つことができる。
また、軟質ウレタン樹脂をウレタンフィルムで包み込んだ緩衝部材２２にコットンパフＣが巻き付けられており、パッティングしたときの衝撃が緩衝部材２２により吸収（あるいは緩和）されるようになっているので、痛みのない心地よいパッティング（すなわち快適なパッティング）を行うことができ、優れたパッティング効果を得ることができる。
さらに、基台２１に接していない側の緩衝部材２２の表面および両側面を包み込むとともに、緩衝部材２２の裏面側でコットンパフＣを固定するようになっているので、緩衝部材２２の表面全体を使ってパッティングを行うことができ、かつコットンパフＣを容易に巻き付けることができる。
さらにまた、基台２１および挟持部材２５は、平面視ロ字状を有するように形成されている、すなわち内部に開口部（貫通部）を有するように形成されているので、パッティングしたときに肌と反対側（挟持部材２５の側）に移動する緩衝部材２２の一部を、速やかかつ抵抗無くこれら開口部内に逃がすことができて、パッティングしたときの衝撃吸収性をさらに高めることができる。
さらにまた、軸部３１の先端に把持部３２が設けられているので、把持性を向上させることができる。また、把持部３２が板状とされているので、把持部３２と基台２１との相対位置関係、すなわち把持部３２を持ったときの基台２１の方向性を容易に把握することができる。
さらにまた、軸部３１が設けられているので、背中など手のとどきにくいところでもパッティングすることができる。
【００４１】
パッティングが終了したらコットンパフＣをコットンパフスティック１０から取り外すことになるが、まずはじめにヒンジ部２６と掛止部２７とを両手の指先で軽く把持した後、コットンパフＣが取り付けられている側の緩衝部材２２の面が凹面を形成する（図４参照）ように、基台２１を若干湾曲させる。このように湾曲させると、挟持部材２５の一端部２５ｄに位置する一表面と切欠部２７ｂとの掛止が簡単に解除され、挟持部材２５がヒンジ部２６を中心に回動自在な状態となる。
【００４２】
挟持部材２５が回動自在な状態となったら、ヒンジ部２６側の手を離して、基台２１を元のフラット（平坦）な状態に弾性復帰させる。
そして、挟持部材２５を開いて図３（ｂ）の状態とし、基台２１の挟持部材２５の側の面を開放した後、コットンパフＣのいずれか一方の端部Ｃａ（あるいはＣｂ）を指先でつまんで緩衝部材２２から、すなわちコットンパフスティック１０からコットンパフＣを取り外す。最後に、取り外したコットンパフＣをゴミ箱に捨て、一連の作業を終了する。
コットンパフＣを取り外した後、緩衝部材２２の表面が、コットンパフＣにしみこませていた化粧水などで汚れているようであれば、軽く水洗いをして洗い流しておく。
【００４３】
図４を用いて説明したように、ヒンジ部２６と掛止部２７との間に距離（本実施形態では上述したように約６０mm）を設けているので、基台２１を容易に湾曲させることができて、挟持部材２５のロック状態を容易かつ迅速に解除することができる。
また、緩衝部材２２の表面がウレタンフィルムとされているので、表面に化粧水が付いたり、表面が汚れたりした場合でもすぐに洗い流すことができて、緩衝部材２２表面を常に清潔な状態に保つことができる。
【００４４】
本実施形態では、緩衝部材２２が基台２１に対して着脱自在に構成されているので、つぎにこの点について図５を用いて説明することにする。
図５は、基台２１から緩衝部材２２を取り外していく手順について示した図であり、（ａ）→（ｂ）→（ｃ）の順に取り外されていく。
まずはじめに、コットンパフスティック１０を図５（ａ）の状態、すなわち前述した図１（あるいは図３（ａ））に示した状態にする。
そして、一方の手で軸部３１を把持するとともに、他方の手で緩衝部材２２の両側面（長手方向と平行になる二側面）を把持した後、緩衝部材２２を図において左側、すなわち挟持部材２５の側にスライドさせながら移動させていく。
図５（ｂ）は、緩衝部材２２を移動させていって、緩衝部材２２の略半分（図において左半分）が挟持部材２５から取り外された（抜け出た）取り外し途中の状態を示す図である。
そのまま緩衝部材２２を同じ方向に移動させていくと、図５（ｃ）に示すように、緩衝部材２２全体が挟持部材２５から取り外されて（抜け出て）、緩衝部材２２の取り外しが完了する。
【００４５】
一方、緩衝部材２２をコットンパフスティック１０に取り付ける（装着する）場合は、取り外し手順と逆の手順となるので、ここでは詳細な説明は省略する。
【００４６】
なお、本発明は上述した実施形態のものに限定されるものではなく、たとえば図６に示すように、基台２１および挟持部材２５それぞれにリブ２１ｂ，２５ｆを設けるようにすることもできる。これらリブ２１ｂ，２５ｆは、基台２１および挟持部材２５の各中央部に長手方向に設けられた骨部材である。
緩衝部材２２以外の部分を射出成型により一体に成形する場合、このようなリブ２１ｂ，２５ｆを設けることによって材料の通り道が増え、不均一な流れが低減して成形性を向上させることができる。
【００４７】
また、上述した実施形態では緩衝部材２２が着脱可能に構成されているが、本発明はこれに限定されるものではなく、たとえば接着剤などにより基台２１に完全に固定されたようなものとすることもできる。この際、緩衝部材２２に設けられていた取付部２２ａは不要となる。
【００４８】
さらに、すべり止め部材２５ａは上述したようなものに限定されるものではなく、たとえば図７に示すように、長手方向に沿って延在する１本の山とすることもできる。
また、断面視形状についても図示したような山形（三角形）に限定されるものではなく、不織布（実施形態ではコットンパフＣ）との接触面積が増大するような突起であればいかなる形状のものであっても良い。
【００４９】
さらにまた、基台の全長Ｌ１、および挟持部材２５を掛止部２７に掛止させた後のコットンパフスティック１０の全長Ｌ２は、上述した寸法に限定されるものではなく、Ｌ１＝４０〜７０mm、Ｌ２＝１６０〜２００mmの範囲で適宜変更可能である。
【００５０】
さらにまた、軸部３１は基台２１に対して必ずしも完全に固定されている必要はなく、図８に示すように、着脱可能に構成することもできる。
軸部３１が基台２１に対して着脱可能となるように構成することにより、たとえば軸部３１の長さが通常の２倍とされた軸部３１ａに付け替えることが可能となり、通常の軸部３１を有するコットンパフスティック１０では届かなかった部分をパッティングすることが可能となる。
【００５１】
さらにまた、本発明の緩衝部材２２は上述したものに限定されるものではなく、たとえば発泡剤を用いたスポンジなど、パッティング時の衝撃をやわらげるものであればいかなるものであっても良い。
【００５２】
さらにまた、基台２１、挟持部材２５、および緩衝部材２２の平面視形状は、上述したような略長方形に限定されるものではなく、たとえば楕円形、円形、八角形（多角形）とすることもできる。
また、透明なウレタンフィルムで包み込まれた軟質ウレタン樹脂の色を変えることにより、バラエティー（多様性）に富んだ商品を提供することができる。
このように、形や色をいろいろと変化させることにより、見た目やデザイン性といった意匠性を向上させることができる。
さらに、緩衝部材２２が軟質ウレタン樹脂およびウレタンフィルムで構成されているので、触ってみた感触すなわち触感が非常に良い。
【００５３】
さらにまた、固定手段２３は上述したようなものに限定されるものではなく、たとえばヒンジ部２６の代わりに掛止部２７と同じ構成を有する第２の掛止部を設け、これら掛止部２７および第２の掛止部で別体として作り出された挟持部材を掛止するように構成したものであっても良い。すなわち、別部品として作り出された挟持部材を掛止部２７と第２の掛止部との間に嵌め込んでコットンパフＣを固定するように構成することもできる。
この場合、ヒンジ部２６を一体成形で成型する必要がないので、樹脂材料としてポリプロピレン以外の樹脂を使用することができる。
【００５４】
さらにまた、ヒンジ部２６は必ずしも一体成形される必要はなく、たとえば挟持部材２５側に一体成形されたアーム（腕部）と、基台２１側に一体成形されたアーム（腕部）とをピンなどで連結したようなものであっても良い。
【００５５】
さらにまた、軸部３１および把持部３２は省略することもできる。すなわち軸部３１および把持部３２のない本体部２０のみの構成とすることもできる。
【００５６】
さらにまた、上述した実施形態ではコットンパフ１８に化粧水をしみこませるようにしていたが、本発明はこれに限定されるものではなく、たとえば乳液をコットンパフ１８にしみこませてパッティングしたり、身体の各部に塗布することもできる。
また、日焼け止めをコットンパフ１８にとり、日焼け止めを身体の各部に塗布することも可能である。
【図面の簡単な説明】
【００５７】
【図１】本発明によるコットンパフスティックの一実施の形態を示す全体斜視図である。
【図２】（ａ）は図１の側面図、（ｂ）は図１の平面図である。
【図３】本発明によるコットンパフスティックにコットンパフを装着する手順を説明するための図であり、（ａ）はコットンパフを用意した状態、（ｂ）はコットンパフを巻き付けた状態、（ｃ）はコットンパフの装着を完了した状態を示す全体斜視図である。
【図４】本発明によるコットンパフスティックからコットンパフを取り外す手順を説明するための図であり、基台を湾曲させて掛止部の掛止を解除した状態を示す要部側面図である。
【図５】基台から緩衝部材を取り外す手順を説明するための図であり、（ａ）は掛止部の掛止を解除し、挟持部材を完全に開放した状態、（ｂ）は取り外し途中の状態、（ｃ）は取り外しを完了した状態を示す要部斜視図である。
【図６】本発明によるコットンパフスティックの他の実施の形態を示す全体斜視図である。
【図７】本発明によるコットンパフスティックの別の実施の形態を示す全体斜視図である。
【図８】本発明によるコットンパフスティックのさらに別の実施の形態を示す全体斜視図である。
【符号の説明】
【００５８】
２１    基台
２２    緩衝部材
２３    固定手段
２５    挟持部材
２５ａ  すべり止め部材
２６    ヒンジ部
２７    掛止部
３１    軸部
３２    把持部
Ｃ      コットンパフ（不織布）
Ｃａ    端部
Ｃｂ    端部
【図１】
2005160524.tif 000003
【図２】
2005160524.tif 000004
【図３】
2005160524.tif 000005
【図４】
2005160524.tif 000006
【図５】
2005160524.tif 000007
【図６】
2005160524.tif 000008
【図７】
2005160524.tif 000009
【図８】
2005160524.tif 000010